(57)【要約】【課題】使用者の利便性を損なうことなくグレアを抑制可能なＬＥＤ照明装置を提供する。【解決手段】    ＬＥＤ照明装置は、実装基板と、実装基板の主面上において、少なくとも第一方向に沿って複数個配列されたＬＥＤ素子と、実装基板の主面側を覆うように配置され、ＬＥＤ素子から放射される光を透過する材料で構成されたカバーと、実装基板から離れる方向にカバーの外側面から突出し、第一方向に離間して複数配置された突出部材と、を有する。【選択図】        図２
2018041593.tif 000002
【特許請求の範囲】
【請求項１】
実装基板と、
前記実装基板の主面上において、少なくとも第一方向に沿って複数個配列されたＬＥＤ素子と、
前記実装基板の前記主面側を覆うように配置され、前記ＬＥＤ素子から放射される光を透過する材料で構成されたカバーと、
前記実装基板から離れる方向に前記カバーの外側面から突出し、前記第一方向に離間して複数配置された突出部材と、を有することを特徴とするＬＥＤ照明装置。
【請求項２】
前記カバーは、前記第一方向に交差する空隙を有し、
前記突出部材は、前記カバーに形成された前記空隙を介して前記カバーと前記実装基板との間の空間まで差し込まれていることを特徴とする請求項１に記載のＬＥＤ照明装置。
【請求項３】
前記カバーは、空隙又は前記カバーの前記外側面から前記実装基板側に窪む凹部を有し、
前記突出部材は、前記カバーに形成された前記空隙又は前記凹部と係合する凸部を有することを特徴とする請求項１に記載のＬＥＤ照明装置。
【請求項４】
前記カバーは、前記外側面から前記実装基板側とは反対側に突き出す凸部を有し、
前記突出部材は、前記カバーに形成された前記凸部と係合する凹部を有することを特徴とする請求項１に記載のＬＥＤ照明装置。
【請求項５】
前記突出部材の面であって、前記カバーの外側面に対向する面のうち少なくとも一部は、前記カバーの前記外側面に沿った形状を有することを特徴とする請求項３又は４に記載のＬＥＤ照明装置。
【請求項６】
前記突出部材は、前記ＬＥＤ素子から放射された光に対する透過率に関し、前記カバーを構成する材料の前記透過率に比べて小さい前記透過率を有する材料からなることを特徴とする請求項１〜５のいずれか一項に記載のＬＥＤ照明装置。
【請求項７】
実装基板と、
前記実装基板の主面上において、少なくとも第一方向に沿って複数個配列されたＬＥＤ素子と、
カバーと、を有し、
前記カバーは、
前記実装基板の前記主面側を覆うように配置され、前記ＬＥＤ素子から放射される光を透過する材料で構成され、少なくとも前記第一方向に延伸する延伸部と、
前記延伸部に一体的に連結され、前記実装基板から離れる方向に前記延伸部から突出するとともに前記第一方向に離間する複数の突出部と、を含んでなることを特徴とするＬＥＤ照明装置。
【請求項８】
前記カバーの前記突出部は、前記カバーの前記延伸部と同じ材料からなることを特徴とする請求項７に記載のＬＥＤ照明装置。
【発明の詳細な説明】
【技術分野】
【０００１】
本発明はＬＥＤ照明装置に関する。
【背景技術】
【０００２】
従来、蛍光ランプを備える照明装置において、ルーバーと呼ばれる遮光板を取り付けて、蛍光ランプから放射される光を当該ルーバーにより反射又は拡散させることにより、不快感やグレア（物の見えづらさを生じさせる眩しさ）を抑制することが知られている。
【０００３】
例えば、特許文献１には、天井に取り付けられる照明装置において、平板状のルーバーを鉛直方向に対して傾斜させて配置することが記載されている。また、特許文献２には、格子状に組み立てたルーバーを配置することが記載されている。
【先行技術文献】
【特許文献】
【０００４】
【特許文献１】実公昭５９―１８５６６号公報
【特許文献２】特開平７−２０１２１２号公報
【発明の概要】
【発明が解決しようとする課題】
【０００５】
しかしながら、特許文献１及び特許文献２の技術では、利用者は初めにルーバーを組み立てて、組み立て後のルーバーを照明装置に取り付ける必要があり、ルーバーの組み立てや取り付け作業が煩わしく、使用者の利便性に欠けるという問題があった。
【０００６】
ところで、近年、消費電力の低減及び点灯寿命の観点より、蛍光ランプを利用した照明装置から、ＬＥＤ素子を利用したＬＥＤ照明装置への置換が進められている。
【０００７】
本発明は、使用者の利便性を損なうことなくグレアを抑制可能なＬＥＤ照明装置を提供することを目的とする。
【課題を解決するための手段】
【０００８】
本発明のＬＥＤ照明装置は、
実装基板と、
前記実装基板の主面上において、少なくとも第一方向に沿って複数個配列されたＬＥＤ素子と、
前記実装基板の前記主面側を覆うように配置され、前記ＬＥＤ素子から放射される光を透過する材料で構成されたカバーと、
前記実装基板から離れる方向に前記カバーの外側面から突出し、前記第一方向に離間して複数配置された突出部材と、を有することを特徴とする。
【０００９】
上記構成によれば、ＬＥＤ照明装置において、カバーを透過した光が突出部材により反射または拡散するため、グレアを抑制できる。また、突出部材はカバーの外側面から突出する構成であるため、例えばカバーに取り付けることができる。このため、突出部材の取り付けが容易となる。即ち、上記構成によれば、使用者の利便性を損なうことなくグレアを抑制できる。
【００１０】
上記構成において、
前記カバーは、前記第一方向に交差する空隙を有し、
前記突出部材は、前記カバーに形成された前記空隙を介して前記カバーと前記実装基板との間の空間まで差し込まれているものとしても構わない。
【００１１】
上記構成によれば、突出部材がカバーと実装基板との間の空間まで差し込まれるため、ＬＥＤ素子から放射される光を突出部材により反射又は拡散させてＬＥＤ照明装置の外部へと取り出すことが可能となり、光の利用効率を上げることができる。
【００１２】
上記構成において、
前記カバーは、空隙又は前記カバーの前記外側面から前記実装基板側に窪む凹部を有し、
前記突出部材は、前記カバーに形成された前記空隙又は前記凹部と係合する凸部を有するものとしても構わない。
【００１３】
上記構成において、
前記カバーは、前記外側面から前記実装基板側とは反対側に突き出す凸部を有し、
前記突出部材は、前記カバーに形成された前記凸部と係合する凹部を有するものとしても構わない。
【００１４】
上記構成において、
前記突出部材の面であって、前記カバーの外側面に対向する面のうち少なくとも一部は、前記カバーの前記外側面に沿った形状を有するものとしても構わない。
【００１５】
上記構成によれば、突出部材は、カバーの外側面の形状に沿った形状を有するため、突出部材とカバーとの間に隙間が生じることを抑制することができ、より効果的にグレアを抑制できる。
【００１６】
上記構成において、
前記突出部材は、前記ＬＥＤ素子から放射された光に対する透過率に関し、前記カバーを構成する材料の前記透過率に比べて小さい前記透過率を有する材料からなるものとしても構わない。
【００１７】
また、本発明のＬＥＤ照明装置は、
実装基板と、
前記実装基板の主面上において、少なくとも第一方向に沿って複数個配列されたＬＥＤ素子と、
カバーと、を有し、
前記カバーは、
前記実装基板の前記主面側を覆うように配置され、前記ＬＥＤ素子から放射される光を透過する材料で構成され、少なくとも前記第一方向に延伸する延伸部と、
前記延伸部に一体的に連結され、前記実装基板から離れる方向に前記延伸部から突出するとともに前記第一方向に離間する複数の突出部と、を含んでなることを特徴とする。
【００１８】
上記構成によれば、カバーは、実装基板の主面側を覆う延伸部と、当該延伸部から突出する複数の突出部とを含んで構成される。これにより、当該カバーは、実装基板を覆う機能と、ＬＥＤ素子から放射される光を反射または拡散させてグレアを抑制する機能との双方を担うことができる。即ち、グレアを抑制するための部材をカバーとは別に設ける必要がなくなり、ユーザの利便性を損なうことなくグレアを抑制できる。
【００１９】
上記構成において、
前記カバーの前記突出部は、前記カバーの前記延伸部と同じ材料からなるものとしても構わない。
【発明の効果】
【００２０】
本発明のＬＥＤ照明装置によれば、使用者の利便性を損なうことなくグレアを抑制することができる。
【図面の簡単な説明】
【００２１】
【図１】第一実施形態のＬＥＤ照明装置の模式的な外観斜視図である。
【図２】図１に示したＬＥＤ照明装置の模式的な分解斜視図である。
【図３】図１に示したＬＥＤ照明装置をカバーの長手方向からみたときの模式図である。
【図４】第二実施形態のＬＥＤ照明装置の模式的な分解斜視図である。
【図５】第二実施形態のＬＥＤ照明装置をカバーの長手方向からみたときの模式図である。
【図６】第三実施形態のＬＥＤ照明装置の模式的な分解斜視図である。
【図７】第三実施形態のＬＥＤ照明装置をカバーの長手方向からみたときの模式図である。
【図８】第三実施形態のＬＥＤ照明装置による作用効果を説明するための模式図である。
【図９】別実施形態のＬＥＤ照明装置の模式的な外観斜視図である。
【図１０Ａ】別実施形態のＬＥＤ照明装置をカバーの長手方向からみたときの模式図である。
【図１０Ｂ】別実施形態のＬＥＤ照明装置をカバーの長手方向からみたときの模式図である。
【図１１】別実施形態のＬＥＤ照明装置をカバーの長手方向からみたときの模式図である。
【発明を実施するための形態】
【００２２】
本発明のＬＥＤ照明装置の実施形態につき、図面を参照して説明する。なお、各図において図面の寸法比と実際の寸法比は必ずしも一致しない。
【００２３】
（第一実施形態）
［ＬＥＤ照明装置の構成］
初めに、図１及び図２を参照して、第一実施形態におけるＬＥＤ照明装置１の構成について説明する。図１は、第一実施形態のＬＥＤ照明装置１の模式的な外観斜視図である。なお、図１では、天井に設置されたＬＥＤ照明装置１を斜め下から見上げたときの状態を示している。
【００２４】
図１に示すように、本実施形態のＬＥＤ照明装置１は、矩形状の開口部３１が形成されたケース３を有し、当該ケース３の内部に、後述のＬＥＤ素子を覆うカバー５と、複数のルーバー７とを収容されてなる。なお、図１において、図の便宜上、各ルーバー７に斜線を付している。カバー５は、開口部３１の長手方向Ｘに延伸する形状を有する。各ルーバー７は、カバー５に取り付けられており、開口部３１の長手方向Ｘに離間して配置されている。なお、ルーバー７が「突出部材」に対応する。
【００２５】
図２を参照して、ＬＥＤ照明装置１の各構成について詳細に説明する。図２は、図１に示したＬＥＤ照明装置１の模式的な分解斜視図である。なお、図２では、ＬＥＤ照明装置１の一部分を拡大した図を示しており、ケース３の図示を省略している。また、図２において、紙面上側が天井側であり、紙面下側が床側である。
【００２６】
図２に示すように、ＬＥＤ照明装置１は、カバー５、ルーバー７、実装基板９、及び、ＬＥＤ素子１１を有する。実装基板９は、カバー５と同様に、開口部３１の長手方向Ｘに延伸する形状を有する。実装基板９は、カバー５に対向する側に主面９Ａを有し、当該主面９Ａ上には、複数のＬＥＤ素子１１が配列される。ＬＥＤ素子１１は、一例として、白色光を放射する。本実施形態では、ＬＥＤ素子１１は、主面９Ａの長手方向Ｘに多数（一例として１２０個）配置され、主面９Ａの短手方向Ｙに、主面９Ａの長手方向Ｘに比べて少ない個数（一例として、２個）配置されている。なお、ＬＥＤ素子１１は、主面９Ａの短手方向Ｙに複数配置されていなくても構わない。なお、主面９Ａの長手方向Ｘが「第一方向」に対応する。
【００２７】
本実施形態では、一例として、カバー５は、半円筒形状を有し、外側面５Ａを有する。カバー５は、外側面５Ａから実装基板９に向かう方向に貫通する空隙５１を形成されている。空隙５１は、図２に示すように、外側面５Ａの円周上の一部に形成されている。なお、図２では図示されていないが、カバー５は、空隙５１をルーバー７と同数だけ形成されている。各空隙５１は、カバー５の長手方向Ｘに離間する。
【００２８】
ルーバー７は、カバー５に形成された空隙５１に係合する凸部７１を有する。ルーバー７は、当該凸部７１がカバー５の空隙５１に挿入されて係合することにより、当該カバー５に取り付けられる。ルーバー７は、カバー５の外側面５Ａに沿った形状を有する面（７Ａ、７Ｂ）を含む。ルーバー７は、当該面（７Ａ、７Ｂ）がカバー５の外側面５Ａに対向するようにカバー５に取り付けられる。
【００２９】
本実施形態では、一例として、カバー５は、透明、半透明、または乳白色の外観を有し、ＬＥＤ素子１１から放射された光を透過する材料（一例として、アクリル、樹脂、シリコン、プラスチック等）で構成されている。また、ルーバー７は、カバー５を透過した光を反射または拡散する材料（一例として、アルミ、鋼板、ステンレス等の金属）で構成されている。
【００３０】
即ち、ルーバー７は、ＬＥＤ素子１１から放射される光に対する透過率に関し、カバー５を構成する材料の透過率に比べて小さい透過率を有する材料で構成されている。一例として、ルーバー７が金属（例えばアルミ、鋼板、ステンレス）からなる場合、透過率は０％であり、カバー５を構成する材料の透過率に比べて小さい。
【００３１】
続いて、図３を参照して、ルーバー７がカバー５に取り付けられた状態について説明する。図３は、図１に示したＬＥＤ照明装置１をカバー５の長手方向Ｘからみたときの模式図である。なお、図３では、ケース３の図示を省略している。また、図３において、紙面下側が床側であり、紙面上側が天井側である。
【００３２】
上記のように、ルーバー７の面のうち、カバー５の外側面５Ａに対向する面（７Ａ、７Ｂ）は、当該外側面５Ａに沿った形状を有する。そのため、図３に示すように、ルーバー７の面（７Ａ、７Ｂ）と、カバー５の外側面５Ａとの間における隙間Ｄは小さい。なお、ルーバー７の面（７Ａ、７Ｂ）は、カバー５に取り付けられたとき、カバー５の外側面５Ａとの間に隙間を設けることなく、当該外側面５Ａに接するように形成されても構わない。
【００３３】
［作用効果］
以下、第一実施形態のＬＥＤ照明装置１による作用効果について説明する。当該ＬＥＤ照明装置１によれば、利用者は、単に、ルーバー７の凸部７１をカバー５の空隙５１に挿入してはめ込むことで、ルーバー７をカバー５に取り付けることができる。これにより、ルーバーの取り付け作業を簡易化することができ、また、取り付けに際し、バネや金具等の部品を省略することができるため、利用者の利便性を向上できる。また、ＬＥＤ素子１１から放射され、カバー５を透過した光は、ルーバー７によって反射または拡散されるため、当該光が直接利用者の目に届くことを抑制できる。即ち、ＬＥＤ照明装置１によれば、使用者の利便性を損なうことなくグレアを抑制できる。
【００３４】
また、第一実施形態のＬＥＤ照明装置１によれば、従来の蛍光ランプに代わり、ＬＥＤ素子１１を利用する。ここで、蛍光ランプの発熱量は、ＬＥＤ素子１１に比べて大きい。また、蛍光ランプは紫外線を利用する。そのため、蛍光ランプを利用した照明装置（以下、蛍光照明装置と呼ぶ）では、耐熱性に優れるとともに、紫外線による劣化の影響が小さいガラス管で蛍光ランプを構成する必要がある。これに対し、ＬＥＤ照明装置１によれば、上記のように蛍光ランプに代わってＬＥＤ素子１１を利用するため、蛍光ランプほど発熱量は大きくなく、また、紫外線による劣化という問題も生じない。そのため、ＬＥＤ素子１１を覆うカバー５を、アクリル、樹脂、シリコン、プラスチック等、ガラスに比べて耐熱性や紫外線に対する耐久性に劣る材料で構成できる。これにより、ＬＥＤ照明装置１によれば、カバー５にルーバー７を取り付ける構成を採用しても、カバー５がヒビ割れ等によって損傷することを抑制できる。
【００３５】
さらに、ＬＥＤ素子１１の点灯寿命は、蛍光ランプに比べて長い。一例として、蛍光ランプの点灯寿命は、１０，０００〜２０，０００ｈ程度であるのに対し、ＬＥＤ素子１１の点灯寿命は、３０，０００〜４０，０００ｈ程度である。そのため、従来の蛍光照明装置では、蛍光ランプを何度も交換する必要がある。従って、従来の蛍光照明装置において、仮に蛍光ランプにルーバーを取り付ける構成を想定した場合、利用者は、蛍光ランプの交換時期が来る度にルーバーを蛍光ランプから取り外し、蛍光ランプを交換後、ルーバーを再度取り付ける必要が生じる。これに対し、ＬＥＤ照明装置１によれば、上記のように点灯寿命が蛍光ランプに比べて遥かに長いため、ＬＥＤ素子１１や実装基板９を交換する頻度が極めて少ない。そのため、ＬＥＤ照明装置１によれば、カバー５にルーバー７を取り付ける構成を採用することが可能となる。
【００３６】
また、第一実施形態のＬＥＤ照明装置１によれば、カバー５の外側面５Ａと、ルーバー７の面（７Ａ、７Ｂ）との間における隙間が小さい。これにより、ＬＥＤ素子１１から放射され、カバー５を透過した光が、当該隙間から漏れることを抑制でき、光がルーバー７により反射または拡散されることなく直接利用者の目に届くことを抑制でき、より効果的にグレアを抑制できる。
【００３７】
（第二実施形態）
続いて、第二実施形態について説明する。なお、第二実施形態において、第一実施形態と同じ構成には同じ符号を付し、説明を省略する。以下、第二実施形態について、第一実施形態と異なる点について説明する。
【００３８】
［ＬＥＤ照明装置の構成］
図示を省略するが、第二実施形態におけるＬＥＤ照明装置は、第一実施形態におけるＬＥＤ照明装置１と同様に、開口部３１が形成されたケース３を有する（図１参照）。第二実施形態におけるＬＥＤ照明装置は、当該ケース３の内部に、第一実施形態におけるカバー５とは異なるカバーを収容されている。
【００３９】
図４に、第二実施形態におけるＬＥＤ照明装置２０の模式的な分解斜視図を示す。なお、図４では、ＬＥＤ照明装置２０の一部分を拡大した図を示しており、また、ケース３の図示を省略している。また、図４において、紙面上側が天井側であり、紙面下側が床側である。
【００４０】
図４に示すように、ＬＥＤ照明装置２０は、実装基板９、ＬＥＤ素子１１、及び、カバー１３を有する。カバー１３は、実装基板９の長手方向Ｘに延伸する延伸部１３１と、実装基板９から離れる方向に当該延伸部１３１から突出する突出部１３３とを含んでなる。なお、図４では図示されていないが、カバー１３は、カバー１３の延伸部１３１から突出する突出部１３３を複数含み、各突出部１３３は、平行であるとともに、実装基板９の長手方向Ｘに離間している。
【００４１】
本実施形態では、カバー１３の延伸部１３１及び突出部１３３は、同じ材料によって構成されている。一例として、延伸部１３１及び突出部１３３は、一体成形によって形成されている。より具体的には、延伸部１３１及び突出部１３３は、半透明、または乳白色の外観を有し、ＬＥＤ素子１１から放射された光の一部を透過するとともに、一部を反射または拡散する材料（一例として、アクリル、樹脂、シリコン、プラスチック等）で構成されている。
【００４２】
なお、アクリルは一般的には透明であるが、延伸部１３１及び突出部１３３をアクリルによって形成し、フロスト加工を施して透明な状態から半透明または乳白色の状態に加工しても構わない。
【００４３】
続いて、図５を参照して、カバー１３が実装基板９を覆うように取り付けられた状態について説明する。図５は、ＬＥＤ照明装置２０をカバー１３の長手方向Ｘからみたときの模式図である。なお、図５では、ケース３の図示を省略している。また、図５において、紙面下側が床側であり、紙面上側が天井側である。
【００４４】
上記のように、カバー１３の延伸部１３１及び突出部１３３は、一体成形によって形成されている。従って、図５に示すように、延伸部１３１と突出部１３３との間に隙間は生じない。
【００４５】
［作用効果］
以下、第二実施形態のＬＥＤ照明装置２０による作用効果について説明する。第二実施形態のＬＥＤ照明装置２０によれば、ＬＥＤ素子１１から射出された光の一部は、カバー１３の延伸部１３１を透過し、一部は当該延伸部１３１によって反射または拡散される。また、延伸部１３１を透過した光の一部は、カバー１３の突出部１３３を透過し、一部は当該突出部１３３によって反射または拡散される。このように、ＬＥＤ照明装置２０によれば、延伸部１３１及び突出部１３３の双方によって光を反射または拡散させて取り出すことができる。即ち、ＬＥＤ素子１１から放射された光が直接利用者の目に届くことを抑制できる。
【００４６】
また、第二実施形態のＬＥＤ照明装置２０によれば、カバー１３が突出部１３３を含む構成であるため、カバー１３とは別にルーバーを設ける必要がない。即ち、ＬＥＤ照明装置２０によれば、使用者の利便性を損なうことなくグレアを抑制できる。
【００４７】
なお、第二実施形態のＬＥＤ照明装置２０では、上記のように、延伸部１３１及び突出部１３３の双方によって光を反射または拡散させることによってグレアを抑制する。ここで、延伸部１３１により光は反射または拡散することから、カバー１３に突出部１３３を設けなくても良いようにも思われる。しかしながら、仮に、カバー１３を、突出部１３３を設けることなく延伸部１３１のみによって構成した場合、延伸部１３１のみによってグレアを改善する必要が生じる。この場合、当該延伸部１３１を、ＬＥＤ素子１１から放射された光に対し、透過率の小さい材料によって構成する必要があり、ＬＥＤ照明装置の照度が低下するという問題がある。これに対し、ＬＥＤ照明装置２０によれば、延伸部１３１のみならず、突出部１３３をも用いてグレアを改善する構成であるため、突出部１３３を設けない構成と比べて、照度の低下を抑えながら、グレアを抑制できる。
【００４８】
（第三実施形態）
続いて、第三実施形態について、第一実施形態と異なる点について説明する。なお、第三実施形態において第一実施形態と同じ構成には同じ符号を付し、説明を省略する。
【００４９】
［ＬＥＤ照明装置の構成］
図示を省略するが、第三実施形態におけるＬＥＤ照明装置３０は、第一実施形態におけるＬＥＤ照明装置１と同様に、開口部３１が形成されたケース３を有し（図１参照）、当該ケース３の内部に、カバー５、及び、第一実施形態におけるルーバー７とは異なる複数のルーバーを収容されている。
【００５０】
図６に、第三実施形態におけるＬＥＤ照明装置３０の模式的な分解斜視図を示す。なお、図６では、ＬＥＤ照明装置３０の一部分を拡大した図を示しており、また、ケース３の図示を省略している。また、図６において、紙面上側が天井側であり、紙面下側が床側である。
【００５１】
図６に示すように、ＬＥＤ照明装置３０は、カバー５、実装基板９、ＬＥＤ素子１１、及び、ルーバー１５を有する。カバー５には、外側面５Ａの半円形状に沿った空隙５３が形成されている。当該空隙５３は、第一実施形態においてカバー５に形成された空隙５１（図２参照）に比べ、外側面５Ａの長手方向Ｘに沿った外縁部近傍まで形成されている。なお、図６では、一つの空隙５３しか図示されていないが、カバー５は、ルーバー１５の数だけ空隙５３を有する。各空隙５３は、カバー５の長手方向Ｘに離間している。ルーバー１５は、矩形状の平板形状を有し、カバー５の空隙５３に挿入されてはめ込まれることにより、当該カバー５に取り付けられる。
【００５２】
本実施形態では、カバー５及びルーバー１５を構成する材料は、第一実施形態と同様である。即ち、ルーバー１５は、ＬＥＤ素子１１から放射される光に対する透過率に関し、カバー５を構成する材料の透過率に比べて小さい透過率を有する材料で構成されている。
【００５３】
続いて、図７を参照してルーバー１５がカバー５に取り付けられた状態について説明する。図７は、ＬＥＤ照明装置３０をカバー５の長手方向Ｘからみたときの模式図である。なお、図７では、ケース３の図示を省略している。また、図７において、紙面下側が床側であり、紙面上側が天井側である。
【００５４】
上記のように、ルーバー１５は、カバー５の空隙５３を介して、カバー５と実装基板９との間の空間まで差し込まれる。そのため、図７に示すように、ＬＥＤ照明装置３０をカバー５の長手方向Ｘからみたとき、カバー５と実装基板９との間に、差し込まれたルーバー１５の一部が確認される。
【００５５】
［作用効果］
第三実施形態のＬＥＤ照明装置３０によっても、第一実施形態と同様の作用及び効果を奏する。第三実施形態のＬＥＤ照明装置３０によれば、さらに、以下の効果を奏する。
【００５６】
図８は第三実施形態のＬＥＤ照明装置３０による作用効果を説明するための模式図である。なお、図８は、ＬＥＤ照明装置３０をカバー５の短手方向Ｙからみたときの状態を示しており、図の便宜上、カバー５を破線で示し、ＬＥＤ素子１１から放射された光の進行を矢印で示している。また、図８において、紙面上側が天井側であり、紙面下側が床側である。
【００５７】
上記のように、第三実施形態のＬＥＤ照明装置３０によれば、ルーバー１５は、カバー５と実装基板９との間の空間まで差し込まれる。そのため、図８に示すように、ＬＥＤ素子１１から放射された光は、当該空間内でルーバー１５によって反射または拡散され、ＬＥＤ照明装置３０の外部へと取り出される。これにより、ＬＥＤ素子１１から放射された光を効率的に紙面下側（即ち、床側）へ取り出すことが可能となり、光の利用効率を向上できる。
［別実施形態］
以下、別実施形態につき説明する。
【００５８】
〈１〉第一実施形態から第三実施形態において、図１に示すように、ＬＥＤ照明装置（１、２０、３０）は一つのカバー５を有するが、カバー５の個数は複数であっても構わない。一例として、図９に示すＬＥＤ照明装置４０のように、二つのカバー５を有しても構わない。この場合、当該二つのカバー５の間に反射板１７を設け、当該反射板１７及びカバー５の双方に、ルーバー７を取り付けても構わない。
【００５９】
〈２〉第一実施形態において、ＬＥＤ照明装置１をカバー５の長手方向Ｘからみたとき、図３に示すように、ルーバー７の面（７Ａ、７Ｂ）によってカバー５の外側面５Ａが露出しないが、図１０Ａ及び図１０Ｂに示すルーバー（１８、１９）のように、外側面５Ａの一部または全部が露出する構成であっても構わない。より一般的に言えば、ルーバー７は、カバー５の外側面５Ａに対向する面のうち、少なくとも一部が当該外側面５Ａに沿った形状を有すれば構わない。第二実施形態のカバー１３についても同様である。
【００６０】
〈３〉第一実施形態において、カバー５には、外側面５Ａから実装基板９に向かう方向に貫通する空隙５１が設けられている場合について説明したが、必ずしも完全に貫通していなくても構わない。即ち、空隙５１に代わり、底面を含む凹部が形成されても構わない。また、空隙５１が形成される場所は、図２に示される場所に限らない。この場合、ルーバー７は、空隙５１に係合するように、面７Ａまたは７Ｂに凸部７１を形成されても構わない。
【００６１】
〈４〉第一実施形態において、カバー５に空隙５１が形成され、ルーバー７に凸部７１が形成されるが、図１１に示すように、カバー５に実装基板９とは反対側に突き出す凸部５５が形成され、ルーバー７に当該凸部５５に係合する凹部７３が形成されても構わない。
【００６２】
〈５〉第二実施形態において、延伸部１３１及び突出部１３３は、半透明または乳白色の外観を有するが、少なくとも突出部１３３が半透明または乳白色であれば、延伸部１３１は透明であっても構わない。換言すれば、ＬＥＤ素子１１から放射される光に対する透過率に関し、延伸部１３１を構成する材料の透過率は、突出部１３３を構成する材料の透過率に比べて小さくても構わない。延伸部１３１が透明であっても、突出部１３３が半透明または乳白色であれば、ＬＥＤ素子１１から放射された光は、延伸部１３１を透過後、突出部１３３によって反射または拡散されるため、グレアを抑制できる。
【００６３】
〈６〉第一実施形態及び第三実施形態において、ルーバー（７、１５）は、カバー５を構成する材料によって形成されても構わない。換言すれば、ＬＥＤ素子１１から放射される光に対する透過率に関し、カバー５及びルーバー（７、１５）は、同じ透過率を有する材料によって形成しても構わない。
【００６４】
〈７〉第一実施形態から第三実施形態において、ＬＥＤ照明装置（１、２０、３０）はケース３を有さなくても構わない。また、ＬＥＤ素子１１は、一例として、白色光を放射すると説明したが、これに限らず、赤色や青色等の単色光を放射する固体光源素子であっても構わない。
【００６５】
〈８〉第一実施形態及び第三実施形態のカバー５、並びに、第二実施形態のカバー１３の延伸部１３１の形状は、半円筒形状に限らない。
【００６６】
〈９〉第一実施形態及び第三実施形態のルーバー（７、１５）、並びに、第二実施形態のカバー１３の突出部１３３は、実装基板９の主面９Ａに直交する方向に突き出すが、当該主面９Ａに対して斜めの方向に突き出すように構成しても構わない。
【符号の説明】
【００６７】
１      ：    第一実施形態のＬＥＤ照明装置
５      ：    カバー
５１      ：    空隙
５Ａ      ：    外側面
７      ：    ルーバー
７１      ：    凸部
７Ａ、７Ｂ      ：    カバーの外側面に対向する面
９      ：    実装基板
９Ａ      ：    主面
１１      ：    ＬＥＤ素子
２０      ：    第二実施形態のＬＥＤ照明装置
１３      ：    第二実施形態のカバー
１３１      ：    延伸部
１３３      ：    突出部
３０      ：    第三実施形態のＬＥＤ照明装置
１５      ：    第三実施形態のルーバー
５３      ：    第三実施形態の空隙
４０      ：    別実施形態のＬＥＤ照明装置
１８、１９      ：    別実施形態のルーバー
５５      ：    別実施形態のカバーに形成される凸部
７３      ：    別実施形態のルーバに形成される凹部
【図１】
2018041593.tif 000003
【図２】
2018041593.tif 000004
【図３】
2018041593.tif 000005
【図４】
2018041593.tif 000006
【図５】
2018041593.tif 000007
【図６】
2018041593.tif 000008
【図７】
2018041593.tif 000009
【図８】
2018041593.tif 000010
【図９】
2018041593.tif 000011
【図１０Ａ】
2018041593.tif 000012
【図１０Ｂ】
2018041593.tif 000013
【図１１】
2018041593.tif 000014